(57)【特許請求の範囲】
【請求項１】
フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、
前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記連結フレームは、前記フレームを対角方向に位置する回動部どうしを接近させ、更に前記メインフレームどうしが重なるように前記接近した回動部を中心に二つ折りにした状態で、前記メインフレームに接触しない位置に備えられ、前記連結フレームの下面が、前記メインフレームの横部材の上面より高い位置に備えられていることを特徴とするテント。
【請求項２】
フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、
前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記連結フレームは、前記フレームを対角方向に位置する回動部どうしを接近させ、更に前記メインフレームどうしが重なるように前記接近した回動部を中心に二つ折りにした状態で、前記メインフレームに接触しない位置に備えられ、前記連結フレームは前記メインフレームの縦部材より外側へ突出して備えられていることを特徴とするテント。
【請求項３】
フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、
前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記シートの内側と外側とを貫通する状態で前記シートに取り付けられる取り付け部材が設けられ、前記取り付け部材のシートの外側に位置する部分が固定物と前記テントとを連結する連結体を取り付ける連結体取付け部になっており、前記シートの内側に位置する部分が前記フレームに連結されるフレーム連結部になっていることを特徴とするテント。
【請求項４】
請求項１から３のいずれかに記載したテントにおいて、
フレームには対角方向に位置する回動部どうしが接近する方向へ移動するのを規制する規制部材が着脱自在に備えられていることを特徴とするテント。
【発明の詳細な説明】
【技術分野】
【０００１】
本発明はテントに係る、特に４つのほぼ垂直な側面をもつテントに関するものである。
【背景技術】
【０００２】
テントは通常フレームと、このフレームに支持されフレームに対し着脱可能なシートによって構成されている。テントの形状は傾斜する側面を有するタイプ、ほぼ垂直に立つ４つの側面をもつタイプ等、種々あるが垂直に立つ４つの側面をもつタイプ（以下、垂直側面タイプという。）のものが、内部で人が立って動くことが多い場合には好都合である。例えば災害時における仮設トイレ、仮設のシャワー室を構成する場合には、垂直側面タイプのテントが最も適している。
【０００３】
垂直側面タイプのテントフレームは、金属パイプによって構成される一対のメインフレームと、このメインフレームどうしを連結する連結フレームとによって構成されている。
メインフレームは横方向へ延びる横部材と、この横部材の両端部に連なり縦方向に延びる縦部材を有するほぼ長方形の枠状体から成る。また連結フレームは互いに対向して配置される前記メインフレームの、互いに対向する縦部材どうしを連結する部材である。
上記のようにして平面視が四角形の枠状になるように組み立てられたフレームにシートを被せて、シートによって遮蔽された内部空間を形成する。垂直側面タイプのテントは内側面もほぼ垂直で、内部空間も広く取れるという長所を有している。
【発明の開示】
【発明が解決しようとする課題】
【０００４】
しかしながら、フレームの平面視が四角形であり、しかもメインフレームがほぼ長方形の枠状体であるため、そのままでは相当に嵩張る。そこで、メインフレームどうしがぴったりと当接するように重ね合わせて収納可能とするため、メインフレームと連結フレームとを分離可能な構造として、テントの設置、撤去に際して、メインフレームと連結フレームの連結、分解作業を行っている。これでは作業が煩雑であるばかりか、作業に相当な時間を要してしまうことになる。特に災害時において仮設トイレを設置する場合は、一刻も早く設置作業を完了する必要があり、メインフレームと連結フレームをいちいち連結する作業が必要なテントは不向きである。
本発明は上記従来の問題点に着目して為されたものであり、垂直側面タイプでありながら、フレームを構成するメインフレームと連結フレームどうしがぴったりと当接して重なり合うコンパクトな収納状態に畳む作業と、シートを被せることができる使用状態にする作業を、ごく簡単に短時間に行うことができるテントを提供することを、その目的とする。
【課題を解決するための手段】
【０００５】
本発明は上記課題を解決するためになされたものであり、請求項１の発明は、フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記連結フレームは、前記フレームを対角方向に位置する回動部どうしを接近させ、更に前記メインフレームどうしが重なるように前記接近した回動部を中心に二つ折りにした状態で、前記メインフレームに接触しない位置に備えられ、前記連結フレームの下面が、前記メインフレームの横部材の上面より高い位置に備えられていることを特徴とするテントである。
【０００６】
請求項２の発明は、フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記連結フレームは、前記フレームを対角方向に位置する回動部どうしを接近させ、更に前記メインフレームどうしが重なるように前記接近した回動部を中心に二つ折りにした状態で、前記メインフレームに接触しない位置に備えられ、前記連結フレームは前記メインフレームの縦部材より外側へ突出して備えられていることを特徴とするテントである。
【０００７】
請求項３の発明は、フレームと、前記フレームに着脱可能に被せられるシートを有し、前記フレームは横方向へ延びる横部材と前記横部材に連なり縦方向へ延びる縦部材とを有する一対のメインフレームと、互いに対向して配置された前記メインフレームの互いに対向する縦部材どうしを連結する連結フレームとを具備するテントにおいて、前記連結フレームと前記メインフレームは互いに回動可能な回動部を介して取り付けられ、且つ前記回動部の回動中心どうしを結ぶ直線のうちの少なくとも１つの距離が他の直線の距離と異なり、前記シートの内側と外側とを貫通する状態で前記シートに取り付けられる取り付け部材が設けられ、前記取り付け部材のシートの外側に位置する部分が固定物と前記テントとを連結する連結体を取り付ける連結体取付け部になっており、前記シートの内側に位置する部分が前記フレームに連結されるフレーム連結部になっていることを特徴とするテントである。
【０００８】
請求項４の発明は、請求項１から３のいずれかに記載したテントにおいて、フレームには対角方向に位置する回動部どうしが接近する方向へ移動するのを規制する規制部材が着脱自在に備えられていることを特徴とするテントである。
【発明の効果】
【００１１】
本発明のテントによれば、垂直側面タイプでありながら、フレームをコンパクトな収納状態に畳む作業と、シートを被せることができる使用状態にする作業を、ごく簡単に且つ短時間で行うことができる。
【発明を実施するための最良の形態】
【００１２】
本発明の実施の形態に係るテント１を図面にしたがって説明する。
図１に示すようにテント１は主として金属パイプ製のフレーム３と合成樹脂製のシート５とから成り、ほぼ垂直な４つの側面を有する垂直側面タイプのものである。シート５はフレーム３に対し着脱可能に被せられて支持される。
まず、フレーム３の構成について説明する。
フレーム３は一対のメインフレーム７、９を有しており、メインフレーム７とメインフレーム９は同じ形状である。従って。メインフレーム７を代表例として説明し、メインフレーム７の構成部材とメインフレーム９の同じ構成部材については同じアラビア数字を付し、また両構成部材を区別するためにメインフレーム７の構成部材を指すアラビア数字の後にａを付し、またメインフレーム９の構成部材を指すアラビア数字の後にｂを付すものとする。
メインフレーム７は横方向へ延びる横部材１１ａと、この横部材１１ａの両端部上面には後述する規制部材としてのワイヤ１３を連結するリング１５がそれぞれ取り付けられている。
【００１３】
また、横部材１１ａの両端部には縦方向へ延びる縦部材１７ａ、１９ａがそれぞれ連なって設けられており、縦部材１７ａと縦部材１９ａの上端部どうしは連結部材２１ａによって連結されており、メインフレーム７は枠状を為している。
互いに対向して配置された一対のメインフレーム７、９は４つの連結フレーム２３、２５、２７、２９を介して連結されている。
連結フレーム２３、２５は、メインフレーム７の互いに対向する縦部材１７ａと縦部材１７ｂとを回動部３１を介して連結し、また連結フレーム２７、２９は、メインフレーム９の互いに対向する縦部材１９ａと縦部材１９ｂとを回動部３１を介して連結している。従って、回動部３１は合計８ヶ所設けられている。
【００１４】
図３に詳細に示すように回動部３１は回動パイプ３３、この回動パイプ３３に固定された回動軸３５によって構成されている。回動軸３５の上下部分は途中部分で分離された縦部１７ａ、１７ｂ、１９ａ、１９ｂに回動自在にそれぞれ挿入されており、縦部１７ａ、１７ｂ、１９ａ、１９ｂのそれぞれ分離された部分どうしを連結している。
また、回動パイプ３３には、連結フレーム２３、２５、２７、２９の両端部が固定されており、連結フレーム２３、２５、２７、２９と縦部１７ａ、１７ｂ、１９ａ、１９ｂに対しそれぞれ相対的に回動可能となっている。
連結フレーム２３、２５の長さ寸法は１００ｃｍであり、連結フレーム２７、２９の長さ寸法は９８ｃｍである。また、メインフレーム７の横部１１ａの長さ寸法、メインフレーム９の横部１１ｂの長さ寸法は共に１００ｃｍである。
【００１５】
下側の回動部３１の回動中心Ｐ（回動軸３５の軸芯）どうしを結ぶ４つの直線のうち、１つが他の直線より短い距離となっている。即ち、連結フレーム２３とほぼ平行になる回動中心Ｐどうしを結ぶ直線の距離Ｌ１ａ、メインフレーム７の横部１１ａとほぼ平行になる回動中心Ｐどうしを結ぶ直線の距離Ｌ２ａ、メインフレーム９の横部１１ｂとほぼ平行になる回動中心Ｐどうしを結ぶ直線の距離Ｌ３ａは等しく、連結フレーム２７とほぼ平行になる回動中心Ｐどうしを結ぶ直線の距離Ｌ４ａだけが前記直線の距離Ｌ１ａ、距離Ｌ２ａ及び距離Ｌ３ａより短くなるように設定されている。
【００１６】
また、上側の回動部３１の回動中心Ｐ（回動軸３５の軸芯）どうしを結ぶ４つの直線のうち、１つが他の直線より短い距離となっている。即ち、回動中心Ｐどうしを結ぶ連結フレーム２５とほぼ平行になる直線の距離Ｌ１ｂ、メインフレーム７の横部１１ａとほぼ平行になる回動中心Ｐどうしを結ぶ直線の距離Ｌ２ｂ、メインフレーム９の横部１１ｂとほぼ平行になる回動中心Ｐどうしを結ぶ直線Ｌ３ｂの距離は等しく、連結フレーム２９とほぼ平行になる回動中心Ｐどうしを結ぶ直線の距離Ｌ４ｂだけが前記直線の距離Ｌ１ｂ、距離Ｌ２ｂ及び距離Ｌ３ｂより短くなるように設定されている。
【００１７】
連結フレーム２３、２５はメインフレーム７、９の縦部材１７ａ、１７ｂより外側へ突出して備えられており、連結フレーム２３、２５の縦部材１７ａ、１７ｂに対向する面と縦部材１７ａ、１７ｂとの間の寸法Ｍは２ｃｍである。
また、連結フレーム２７、２９はメインフレーム７、９の横部材１１ａ、１１ｂの上面より高い位置に備えられており、連結フレーム２７、２９の下面と横部材１１ａ、１１ｂの上面との間の寸法Ｎは２ｃｍである。
なお、連結フレーム２５には、面ファスナの雄側３７が取り付けられている。
【００１８】
シート５の構成について説明する。
シート５は下面が開口しており、前面にファスナ３９、４１が設けられている。また、シート５の内側の下端部の角部にはバンド４３がそれぞれ設けられており、このバンド４３の一端部と他端部には面ファスナの雄側と雌側が固定されており、ループ状に連結できるようになっている。
更に、シート５の内側の上端部の角部には取り付け部材としてのバンド４５がそれぞれ設けられており、この固定バンド４５は図４に示すようにシート５の内側と外側を貫通する状態でシート５に固定されている。即ち、シート５を縫製する際に、シート５の構成部材５ａ、５ｂと共に重ね合わされて糸４７によって縫い合わされている。
【００１９】
バンド４５のシート５の外側に位置する部分が後述する固定物としての杭４９とテント１とを連結する連結体としてのロープ５２を取り付ける連結体取付け部としてのロープ連結部４５ａになっている。またバンド４５のシート５の内側に位置する部分がフレーム３に連結されるフレーム連結部４５ｂとなっている。フレーム連結部４５ｂの一端部と他端部には面ファスナ４６の雌側と雄側がそれぞれ設けられている。
【００２０】
符号５３はマットを示し（図５、図６参照）、このマット５３は防水性のシート材５５と、このシート材５５の内部に備えられた柔軟性を管状体５７によって構成されている。菅状体５７は外周部に配置され、外周部が一段高くなっており、外周部に囲まれた領域に浅い凹部が形勢されている。
【００２１】
次に、このテント１を仮設トイレに適用する場合を例にとり、テント１の組立て、分解方法について説明する。
テント１を組み立てる場合には、フレーム３を図８に示す完全に折り畳んだ状態から、図７に示すようにメインフレーム７、９を開き、更に図に示すようにメインフレーム７とメインフレーム９とが互いに対向する状態にする。そして、ワイヤ１３をリング１５に取り付ける。ワイヤ１３は互いに対角位置にあるリング１５どうしを連結するように取り付ける。このようにしてワイヤ１３をリング１５に取り付けることにより対角方向に位置する回動部３１どうしが接近する方向へ移動するのが規制される。
そして、シート５のファスナ３９、４１を全開にした状態で、シート５をフレーム３に被せる。このシート５をフレーム３に被せる作業は、メインフレーム７を下にしてフレーム３を倒した状態で行うと、小柄な者でも容易に行うことができる。
【００２２】
次に、バンド４３をフレーム３に巻き付けて面ファスナによって、バンド４３をループ状に連結して固定する。
４つのバンド４３のうちの２つはメインフレーム７、９の縦部材１７ａ、１７ｂと連結フレーム２３の両方にそれぞれ巻き付け、残りの２つのバンド４３は縦部材１９ａ、１９ｂにそれぞれ巻き付ける。
【００２３】
また、４つのバンド４５のフレーム連結部４５ｂのうちの２つはメインフレーム７、９の縦部材１７ａ、１７ｂと連結フレーム２５の両方にそれぞれ巻き付け、残りの２つのバンド４５のフレーム連結部４５ｂは縦部材１９ａ、１９ｂにそれぞれ巻き付ける。
次いで、４本のロープ５２の一端を４つのロープ連結部４５ａにそれぞれ連結し、他端を地面に打ち込んだ４本の杭４９にそれぞれ連結する。既述のようにロープ連結部４５ａはフレーム３に連結されたフレーム連結部４５ｂと一体になっているので、テント１を杭４９にロープ５２を介して強固に固定することができる。
【００２４】
次に、連結フレーム２５にトイレットペーパーのホルダ５９と便座シートのケース６１を固定する。この固定はホルダ５９とケース６１に設けられた面ファスナの雌側部(図示せず)を、連結フレーム２５の雄側部３７に取り付けることによって行う。
そして、マット５３を横部材１１ａ、１１ｂと連結フレーム２３、２７に囲まれた領域に置く。次に、このマット５３上に手摺り６３と便器６５を設置する。
このようにしてテント１を用いた仮設トイレが完成する。
【００２５】
テント１を撤去するために分解する場合には、フレーム３を図１０に示す完全に開いた平面視がほぼ正方形の状態から、図１１に示すように対角方向に位置する回動部３１が互いに接近するように畳み、フレーム３を平面視がほぼ菱形になるようにする。
そして、フレーム３を図７、図１２に示すように、互いに近づけた回動部３１を中心に二つ折りにして、図８に示すようにメインフレーム７とメインフレーム９とが重なるように折り畳み、収納状態とする。
【００２６】
既述のように、回動中心Ｐどうしを結ぶ直線の距離Ｌ１ａ、Ｌ２ａ、Ｌ３ａは等しく、距離Ｌ４ａだけが前記直線の距離Ｌ１ａ、距離Ｌ２ａ及び距離Ｌ３ａより短くなるように設定され、また、回動中心Ｐどうしを結ぶ直線の距離Ｌ１ｂ、Ｌ２ｂ、距離Ｌ３ｂは等しく、連結フレーム２３とほぼ平行になる直線の距離Ｌ４ｂだけが前記直線の距離Ｌ１ｂ、距離Ｌ２ｂ及び距離Ｌ３ｂより短くなるように設定されている。
しかも、連結フレーム２３、２５はメインフレーム７、９の縦部材１７ａ、１７ｂより外側へ突出して備えられており、連結フレーム２７、２９はメインフレーム７、９の横部材１１ａ、１１ｂの上面より高い位置に備えられているので、図８、図９に示すように、メインフレーム７とメインフレーム９とを当接させてぴったり重ね合わせることができる。即ち、連結フレーム２３、２５はメインフレーム７、９より外側に位置し、また連結フレーム２７、２９はメインフレーム７、９に上下方向に重なるので、連結フレーム２３、２５、２７、２９はメインフレーム７、９に接触しない位置に備えられることなる。
従って、フレーム３を二つ折りして、メインフレーム７とメインフレーム９とを当接させてぴったり重ね合わせることができ、しかも連結フレーム２３、２５、２７、２９がメインフレーム７、メインフレーム９に接触することがない。よって、フレーム３をコンパクトな収納状態に畳むことができる。
【００２７】
上記のようにテント１は垂直側面タイプでありながら、フレーム３を開閉するだけで、コンパクトな収納状態とシートを被せることができる使用状態にすることができる。従って、テントの設置と撤去するための作業をごく簡単に、且つ迅速に行うことが可能である。
【００２８】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、本発明のテントを仮設トイレに適用する場合を示したが、本発明はこれに限定されず、仮設のシャワー室等に適用することも可能である。
また、上記実施の形態で面ファスナを用いた箇所にホック等の他の固定手段を用いてもよいのは勿論である。
【産業上の利用可能性】
【００２９】
本発明のテントは、仮設トイレ、仮設のシャワー室だけでなく、災害時やキャンプ等に使用する居住用にも利用可能である。
【図面の簡単な説明】
【００３０】
【図１】本発明の実施の形態に係るテントを用いた仮設トイレの斜視図である。
【図２】図１のテントのフレームの斜視図である。
【図３】（ａ）は図２のフレームの回動部の斜視図であり、（ｂ）は（ａ）のＡ−Ａ断面図である。
【図４】図１のテントのバンドのロープ取付け部とフレーム取付け部近傍の斜視図である。
【図５】マットの斜視図である。
【図６】図５のB−B断面図である。
【図７】図２のフレームを畳む途中の状態の斜視図である。
【図８】図２のフレームを二つ折りに畳んだ状態の斜視図である。
【図９】図８のフレームを二つ折りに畳んだ状態の底面図である。
【図１０】図１のフレームを畳む手順を説明するための図２に対応する状態の平面を簡略して示す図である。
【図１１】図１のフレームを畳む手順を説明するため平面を簡略して示す図である。
【図１２】図１のフレームを畳む手順を説明するための図７に対応する状態の平面を簡略して示す図である。
【符号の説明】
【００３１】
１…テント      ３…フレーム      ５…シート
５ａ、５ｂ…シート構成部材
７、９…メインフレーム      １１ａ、１１ｂ…横部材
１３…ワイヤ      １５…リング      １７ａ、１７ｂ…縦部材
１９ａ、１９ｂ…縦部材      ２１ａ、２１ｂ…連結部材
２３、２５、２７、２９…連結フレーム      ３１…回動部
３３…回動パイプ      ３５…回動軸        ３７…面ファスナ
３９、４１…ファスナ      ４３、４５…バンド
４５ａ…ロープ取付け部      ４５ｂ…フレーム取付け部
４６…面ファスナ      ４７…糸      ４９…杭
５２…ロープ      ５３…マット      ５５…シート材
５７…管状体      ５９…トイレットペーパーのホルダ
６１…便座シートのケース
Ｌ１ａ、Ｌ２ａ、Ｌ３ａ、Ｌ４ａ…回動部の回動中心Ｐどうしを結ぶ直線の距離
Ｌ１ｂ、Ｌ２ｂ、Ｌ３ｂ、Ｌ４ｂ…回動部の回動中心Ｐどうしを結ぶ直線の距離
【図１】
0004918006.tif 000002
【図２】
0004918006.tif 000003
【図３】
0004918006.tif 000004
【図４】
0004918006.tif 000005
【図５】
0004918006.tif 000006
【図６】
0004918006.tif 000007
【図７】
0004918006.tif 000008
【図８】
0004918006.tif 000009
【図９】
0004918006.tif 000010
【図１０】
0004918006.tif 000011
【図１１】
0004918006.tif 000012
【図１２】
0004918006.tif 000013